(57)【要約】【課題】遊技盤が遊技機枠に適切に取り付けられるようにする。【解決手段】光を透過する性質の有る合成樹脂から構成され板状構造体４３が光を遮断する性質の有る合成樹脂から構成された周辺飾り構造体４２の裏面に形成された板状収容部４４に周辺飾り構造体４２の裏側から収容され、止めねじ５２が板状構造体４３を貫通して周辺飾り構造体４２に締結され、板状構造体４３と周辺飾り構造体４２とが遊技盤４１を構成し、遊技盤４１の左側部が盤押圧部２２と盤受止部２３との間に挿入されてから、遊技盤４１の右側部が後側に押され、盤ロック操作体２４がロック挿入孔５１に後側から挿入されて前側に突出するまでの間において、押圧受止部４９が盤押圧部２２を個別に受け止めているので、遊技盤４１の左側部が盤押圧部２２と盤受止部２３との間に挿入されて盤押圧部２２と盤受止部２３とで前後方向から挟まれて押圧受止部４９の弾性下で適切に支持できる。【選択図】図１
2007014530.tif 000002
【特許請求の範囲】
【請求項１】
遊技機枠には盤収容構造体が設けられ、盤収容構造体の左側部には盤押圧部および盤受止部が盤押圧部を後側とし盤受止部を前側として設けられ、盤収容構造体の下縁部には盤棚が設けられ、遊技盤の左側部が盤収容構造体の前側から盤押圧部と盤受止部との間に嵌め込まれ、遊技盤の下縁部が盤棚の上に搭載され、上記盤収容構造体に嵌め込まれた遊技盤の右側部が裏側に押されると、盤押圧部と盤受止部との間に嵌め込まれた遊技盤の左側部が中心となり、遊技盤が全体的に回転されて盤収容構造体に格納されるパチンコ機において、遊技盤は、非遊技領域を形成する光を遮断する性質の有る合成樹脂により盤収容構造体に格納される方形な箱形に構成された周辺飾り構造体と、光を透過する性質の有る合成樹脂から構成された板状構造体とを備え、周辺飾り構造体の裏面には板状収容部が上縁部、下縁部、左縁部、右縁部で囲まれかつ周辺飾り構造体の裏面に開口し周辺飾り構造体の裏面から前側に窪む空間として形成され、板状構造体が板状収容部に周辺飾り構造体の裏側から収容されて周辺飾り構造体に取り付けられて、上記遊技盤が周辺飾り構造体と板状構造体とから一体に構成され、周辺飾り構造体の左縁部には押圧受止部が形成され、遊技盤の左側部が盤収容構造体の前側から盤押圧部と盤受止部との間に嵌め込まれた場合、押圧受止部が盤押圧部に接触して盤押圧部を受け止めることを特徴とするパチンコ遊技機。
【請求項２】
板状構造体が板状構造体の裏面から板状構造体を貫通して周辺飾り構造体に締結される止めねじによって周辺飾り構造体に取り付けられたことを特徴とする請求項１記載のパチンコ遊技機。
【発明の詳細な説明】
【技術分野】
【０００１】
本発明は、遊技盤が遊技機枠に適切に取り付けられるパチンコ遊技機に関する。
【背景技術】
【０００２】
パチンコ機は、遊技盤の左側部が盤収容構造体の前側から盤押圧部と盤受止部との間に嵌め込まれ、遊技盤の下縁部が盤棚の上に搭載され、上記盤収容構造体に嵌め込まれた遊技盤の右側部が裏側に押されると、盤押圧部と盤受止部との間に嵌め込まれた遊技盤の左側部が中心となり、遊技盤が全体的に回転されて盤収容構造体に格納されるようになっている。そして、遊技盤を、非遊技領域を形成する光を遮断する性質の有る合成樹脂により盤収容構造体に格納される方形な箱形に構成された周辺飾り構造体と、光を透過する性質の有る合成樹脂から構成された板状構造体とから一体に構成することが考えられる。しかしながら、遊技盤の左側部が遊技機枠の盤押圧部と盤受止部との間に挿入されてから、遊技盤の右側部が後側に押された場合、周辺飾り構造体が盤押圧部と盤受止部とで前後方向から挟まれて回転されつつ外力を受けて破損する可能性があるという欠点がある。
【特許文献１】特開２００３−１１７０９１号公報
【発明の開示】
【発明が解決しようとする課題】
【０００３】
発明が解決しようとする問題点は、合成樹脂製の周辺飾り構造体に合成樹脂製の板状構造体を取り付けることによって遊技盤を構成し、この遊技盤を遊技機枠に取り付けた場合、周辺飾り構造体が盤押圧部と盤受止部とで前後方向から挟まれて回転されつつ外力を受けて破損する可能性があるという点である。
【課題を解決するための手段】
【０００４】
本発明に係るパチンコ遊技機は、遊技機枠には盤収容構造体が設けられ、盤収容構造体の左側部には盤押圧部および盤受止部が盤押圧部を後側とし盤受止部を前側として設けられ、盤収容構造体の下縁部には盤棚が設けられ、遊技盤の左側部が盤収容構造体の前側から盤押圧部と盤受止部との間に嵌め込まれ、遊技盤の下縁部が盤棚の上に搭載され、上記盤収容構造体に嵌め込まれた遊技盤の右側部が裏側に押されると、盤押圧部と盤受止部との間に嵌め込まれた遊技盤の左側部が中心となり、遊技盤が全体的に回転されて盤収容構造体に格納されるパチンコ機において、遊技盤は、非遊技領域を形成する光を遮断する性質の有る合成樹脂により盤収容構造体に格納される方形な箱形に構成された周辺飾り構造体と、光を透過する性質の有る合成樹脂から構成された板状構造体とを備え、周辺飾り構造体の裏面には板状収容部が上縁部、下縁部、左縁部、右縁部で囲まれかつ周辺飾り構造体の裏面に開口し周辺飾り構造体の裏面から前側に窪む空間として形成され、板状構造体が板状収容部に周辺飾り構造体の裏側から収容されて周辺飾り構造体に取り付けられて、上記遊技盤が周辺飾り構造体と板状構造体とから一体に構成され、周辺飾り構造体の左縁部には押圧受止部が形成され、遊技盤の左側部が盤収容構造体の前側から盤押圧部と盤受止部との間に嵌め込まれた場合、押圧受止部が盤押圧部に接触して盤押圧部を受け止めることを最も主要な特徴とする。板状構造体が板状構造体の裏面から板状構造体を貫通して周辺飾り構造体に締結される止めねじによって周辺飾り構造体に取り付けられてもよい。
【発明の効果】
【０００５】
本発明に係るパチンコ遊技機は、遊技盤の左側部が盤押圧部と盤受止部との間に挿入されてから、遊技盤の右側部が後側に押された場合、盤押圧部が弾性的に押圧受止部を前側に押し、盤受止部が盤押圧部で前側に弾性的に押された周辺飾り構造体の前面を受け止め、押圧受止部が盤押圧部を個別に受け止めているので、遊技盤の左側部が盤押圧部とで前後方向から挟まれて押圧受止部の弾性下で適切に支持できるという利点がある。板状構造体が板状構造体の裏面から板状構造体を貫通して周辺飾り構造体に締結される止めねじによって周辺飾り構造体に取り付けられれば、遊技盤の構成が容易であるという利点がある。
【発明を実施するための最良の形態】
【０００６】
図１および図２は、発明を実施するための最良の形態である。図１は、遊技機枠１と遊技盤４１とを分解したパチンコ遊技機を示す。図２は、周辺飾り構造体４２と板状構造体４３とを分解した遊技盤４１を示す。本明細書において、「前」、「後」、「裏」、「左」、「右」、「上」、「下」の方向は、図１の状態に遊技機枠１および遊技盤４１を置いて矢印Ａで示す前側から見た場合に特定される方向である。「後」と「裏」とは同じ方向である。
【０００７】
図１を参照し、パチンコ遊技機の構造について説明する。パチンコ遊技機は、遊技機枠１に遊技盤４１を装着して構成される。遊技機枠１は、固定枠２の前側に可動枠３を開閉可能に備え、可動枠３の前側に前扉４および皿構造体５を開閉可能に備える。固定枠２は、遊技店の島と呼ばれる遊技機設置構造体に取り付けるための外枠とも呼ばれる。可動枠３は、遊技盤４１や図外の制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および皿構造体５は、個別に、左側に位置するヒンジ７を中心とし、可動枠３の前側で前側に開かれかつ後側に閉じられるように、片開き可能である。可動枠３の右側部には、施錠装置８、複数のロック機構９；１０；１１、ロック解除操作体１２が設けられる。
【０００８】
そして、可動枠３が閉じられて固定枠２にロック機構９で開閉不能に支持され、前扉４および皿構造体５が閉じられて可動枠３にロック機構１０；１１で開閉不能に支持された状態において、遊技店の店員が図外のキープレート（鍵）を遊技機枠１の前側から施錠装置８の鍵穴に挿入し、当該キープレートを例えば右側に９０度回転操作すると、固定枠２と可動枠３とのロック機構９による支持形態が解除される。この支持形態の解除後に、店員が可動枠３を前側に引くことによって、可動枠３はヒンジ６を中心として前側に片開きされる。また、上記施錠装置８の鍵穴に挿入されたキープレートが例えば左側に９０度回転操作されると、可動枠３と前扉４とのロック機構１０による支持形態が解除される。この支持形態の解除後に、店員が前扉４を前側に引くことによって、前扉４はヒンジ７を中心として前側に片開きされる。このように、前扉４が前側に開かれた状態において、店員がロック解除操作体１２を操作すると、可動枠３と皿構造体５とのロック機構１１による支持形態が解除される。この支持形態の解除後に、店員が皿構造体５を前側に引くことによって、皿構造体５はヒンジ７を中心として前側に片開きされる。
【０００９】
可動枠３は、盤収容構造体１４、中央開口部１５、見切り構造体１６、画像表示器１７を備える。盤収容構造体１４は、遊技盤４１を可動枠３の前側から格納させるように、前側に開口した形状である。中央開口部１５は、盤収容構造体１４の背壁に、前後方向への貫通孔として形成される。見切り構造体１６は、可動枠３の前側から中央開口部１５に挿入され、盤収容構造体１４の背壁の前面に取り付けられることで、前後方向に貫通する画像透視開口部１９を形成する。盤収容構造体１４には、盤押圧部２２、盤受止部２３、盤ロック操作体２４が設けられる。盤押圧部２２が後側で盤受止部２３が前側となるように、盤押圧部２２および盤受止部２３が盤収容構造体１４の左側部の上下部に個別に設けられる。盤押圧部２２は、遊技盤４１を前側に押す板ばねのような弾性体である。盤受止部２３は、盤押圧部２２で前側に押された遊技盤４１を受け止める突起である。盤ロック操作体２４は、盤収容構造体１４の右側部の上下部に個別に位置し、盤収容構造体１４の背壁から前側に突出し、盤収容構造体１４の背壁の前面と平行な方向に回転可能に、盤収容構造体１４の背壁に設けられる。
【００１０】
盤収容構造体１４の下縁部は、遊技盤４１を搭載する左右方向に平坦な面としての盤棚２５を形成する。盤棚２５から下側に延設された前壁２６の前面には、発射機構２７、発射レール２８、戻り球取入口２９、前横樋３０が設けられる。前壁２６の裏面には、機外排出樋３１が設けられる。前扉４は、パネル枠とも呼ばれ、前後方向に貫通する窓３３と、窓３３を裏側から覆い隠すパネル３４とを備える。パネル３４は、ガラスまたは合成樹脂などの光を透過する性質の有る材料から板状に形成される。皿構造体５は、受皿部３５および発射操作機構３６を、皿構造体５の前面から前側に突出した形態に備える。受皿部３５は、遊技に使用する球を受ける上側に開口した上側から下側に窪む容器である。発射操作機構３６は、遊技者が球を発射するために操作するものである。皿構造体５の裏面には、球取入口３７および球供給口３８が設けられる。皿構造体５が閉じられた場合、ロック解除操作体１２、発射機構２７、発射レール２８、戻り球取入口２９、前横樋３０は、皿構造体５で覆い隠される。画像表示器１７は、電気的に表示形態を変えられる画像を表示画面に表示する液晶表示器からなる面状表示器により構成される。画像表示器１７の表示画面に表示される画像は、遊技機枠１の前側から画像透視開口部１９を通して視認可能となるように、画像表示器１７の表示画面が見切り構造体１６の裏側に配置されるように、画像表示器１７は、盤収容構造体１４の裏面に取り付けられる。
【００１１】
遊技盤４１は、周辺飾り構造体４２と板状構造体４３とを備える。周辺飾り構造体４２は、非遊技領域を形成する光を遮断する性質の有る合成樹脂により、盤収容構造体１４に格納される方形な箱形に構成される。周辺飾り構造体４２の裏面には、板状収容部４４が、上縁部４５、下縁部４６、左縁部４７、右縁部４８で囲まれた、周辺飾り構造体４２の裏面に開口し、周辺飾り構造体４２の裏面から前側に窪む空間として形成される。つまり、周辺飾り構造体４２を裏側から見ると、周辺飾り構造体４２は、上縁部４５と下縁部４６と左縁部４７および右縁部４８で囲まれた板状収容部４４を有する箱形である。下縁部４６の下面には、斜面５０が、周辺飾り構造体４２の前側から裏側に行くにしたがって上り勾配となる形状に形成される（ｂ図参照）。斜面５０は、下縁部４６の下面における左右方向の全面にわたって設けられる。左縁部４７の上下部には、押圧受止部４９が個別に形成される。右縁部４８の上下部には、ロック挿入孔５１が個別に形成される。
【００１２】
板状構造体４３は、光を透過する性質の有る合成樹脂から構成される。そして、板状構造体４３が周辺飾り構造体４２の裏面に形成された板状収容部４４に周辺飾り構造体４２の裏側から収容され、タッピングスクリューのような止めねじ５２が板状構造体４３に形成された図外のねじ挿入孔から板状収容部４４を貫通して周辺飾り構造体４２に形成された図外の取付部に締結されることによって、板状構造体４３が周辺飾り構造体４２に取り付けられ、板状構造体４３が周辺飾り構造体４２で囲まれた遊技領域６５（図２参照）を形成し、遊技盤４１が周辺飾り構造体４２と板状構造体４３とから構成される。板状構造体４３の裏面には、球案内体５３が設けられる。球案内体５３は、セット板や集合樋とも呼ばれ、遊技盤４１の遊技領域６５から遊技盤４１の裏側に排出された球を下側に誘導するための裏側部品である。
【００１３】
遊技機枠１は遊技機枠１に次のように取り付けられる。少なくとも、前扉４が可動枠３の前側に片開きされた状態において、遊技盤４１の裏面が遊技機枠１の方に向けられ、遊技盤４１の遊技領域６５が前側に向けられ、遊技盤４１が遊技機枠１の前側から盤収容構造体１４に挿入され、遊技盤４１の下部が盤棚２５の上に載せられ、遊技盤４１の左側部が盤押圧部２２と盤受止部２３との間に挿入されて盤押圧部２２と盤受止部２３とで前後方向から挟まれた場合、上下部の押圧受止部４９が上下部の盤押圧部２２に個別に接触して盤押圧部２２を個別に受け止めた後、遊技盤４１の右側部が作業者によって後側に押され、盤ロック操作体２４がロック挿入孔５１に後側から挿入されて前側に突出した状態において、作業者が盤ロック操作体２４を例えば右方向に９０度回転操作すると、盤ロック操作体２４がロック挿入孔５１の周りにおける周辺飾り構造体４２の前面に係合し、遊技盤４１が可動枠３に取り付けられる。
【００１４】
上記のように、遊技盤４１の左側部が盤押圧部２２と盤受止部２３との間に挿入されてから、遊技盤４１の右側部が後側に押され、盤ロック操作体２４がロック挿入孔５１に後側から挿入されて前側に突出するまでの間において、盤押圧部２２が弾性的に押圧受止部４９を前側に押し、盤受止部２３が盤押圧部２２で前側に弾性的に押された周辺飾り構造体４２の前面を受け止め、押圧受止部４９が盤押圧部２２を個別に受け止めているので、遊技盤４１の左側部が盤押圧部２２と盤受止部２３との間に挿入されて盤押圧部２２と盤受止部２３とで前後方向から挟まれて押圧受止部４９の弾性下で適切に支持できるという利点がある。遊技盤４１の左側部が盤押圧部２２と盤受止部２３とで挟まれてから、遊技盤４１の右側部が作業者によって後側に押され、ロック挿入孔５１の周りにおける周辺飾り構造体４２の前面に係合されるまでの間において、遊技盤４１の下縁部が盤棚２５の上に接触しつつ滑走する場合、斜面５０が盤棚２５に接触し、遊技盤４１が前側から後側に回転しつつ押し込まれるのに伴い上方に誘導されるので、遊技盤４１の下縁部を左右方向にわたり全体的に盤棚２５に接触させつつ小さな押力で搭載することができるという利点がある。板状構造体４３が板状構造体４３の裏面から板状構造体４３を貫通して周辺飾り構造体４２に締結される止めねじ５２によって周辺飾り構造体４２に取り付けられたので、遊技盤４１の構成が容易であるという利点がある。
【００１５】
その後、前扉４が閉じられてロック機構１０で可動枠３に開閉不能に支持され、皿構造体５が閉じられてロック機構１１で可動枠３に開閉不能に支持され、可動枠３が閉じられてロック機構９で固定枠２に開閉不能に支持されることによって、遊技盤４１の遊技領域６５が遊技機枠１の前側から窓３３およびパネル３４を通して視認可能となる。その状態において、受皿部３５に球が入れられた状態において、遊技者が発射操作機構３６を操作し、発射操作機構３６が操作量に対応した電気的な出力としての可変抵抗器の抵抗値を図外の制御装置に出力し、制御装置が抵抗値に対応する発射出力を１分間当たり１以上１００未満の一定の周期で発射機構２７を駆動し、発射機構２７が受皿部３５から供給された球を１個ずつ遊技盤４１の遊技領域６５に向けて上方に発射する。
【００１６】
図２を参照し、遊技盤４１の前側の構造について説明する。周辺飾り構造体４２は、丸形開口部５５、内ガイドレール５６、外ガイドレール５７、発射通路５８、アウト口飾り５９、戻り球防止弁６０、球反発体６１、証紙台６２を備える。丸形開口部５５は、板状収容部４４（図１参照）に貫通する前後方向への貫通孔として形成される。内ガイドレール５６および外ガイドレール５７は、丸形開口部５５の周縁部に設けられる。発射通路５８は、内ガイドレール５６の左側部と外ガイドレール５７の左側部との間に位置し、前側開放縦溝形状に形成される。アウト口飾り５９は、アウト口６３を縁取るものであって、内ガイドレール５６における下部弧状側面の最下部から丸形開口部５５の側である内側に突出する。戻り球防止弁６０は、発射通路５８の出口に位置し、内ガイドレール５６の端部に取り付けられた板ばねであって、発射通路５８から遊技領域６５に発射された球の遊技領域６５から発射通路５８への流入を防止する。
【００１７】
球反発体６１は、ゴムまたは合成樹脂などの弾性を有する材料から形成され、内ガイドレール５６の右端部と外ガイドレール５７の右端部との間に取り付けられ、発射通路５８から遊技領域６５に発射された球が衝突することによって、当該衝突した球を遊技領域６５の中央部の方向に跳ね返す。証紙台６２は、周辺飾り構造体４２の右側の下部に前後方向に開閉可能に設けられる。証紙台６２が、周辺飾り構造体４２との連結部である図外のヒンジを中心として前方に開かれることによって、下部のロック挿入孔５１が、周辺飾り構造体４２の前側から見える格好となる。そして、証紙台６２が上記ヒンジを中心として後方に閉じられて証紙台受部６４で受け止められると、下部のロック挿入孔５１が、証紙台６２で覆い隠されて周辺飾り構造体４２の前側から見えなくなる。閉じられた証紙台６２の前面には、遊技盤４１の検査に合格して販売の認可を受けたことを示す図外の証紙が、貼り付けられる。
【００１８】
板状構造体４３の前面である遊技領域６５には、センター飾り６６、一般入賞部品６７、作動入賞部品６８、始動入賞部品６９、可変入賞部品７０、遊技釘７１、風車７２、アウト口７３などの前側部品が設けられる。一般入賞部品６７は、球を遊技領域６５から取り込み、当該取り込んだ球を遊技領域６５の裏側に排出する、取込形である。一般入賞部品６７の内部には、図外の一般入賞球検出器を備える。作動入賞部品６８は、球を遊技領域６５から取り込み、当該取り込んだ球を遊技領域６５の裏側に取り込むことなく、遊技領域６５に排出する、通過形である。作動入賞部品６８の内部には、図外の作動入賞球検出器を備える。始動入賞部品６９は、左右に開閉する一対の羽根７４の下部を中心とし、一対の羽根７４を図外の始動駆動源で左右方向に開閉する電動チューリップと呼ばれる構造である。始動入賞部品６９は、球を遊技領域６５から取り込み、当該取り込んだ球を遊技領域６５の裏側に排出する、取込形である。
【００１９】
始動入賞部品６９の左右一対の羽根７４は、閉じた場合でも、球を受け入れ得る形態、受け入れない形態のいずれでも適用できる。始動入賞部品６９の内部には、図外の始動入賞球検出器を備える。可変入賞部品７０は、横長な長方形状の開閉体７５の下部を中心とし、開閉体７５を図外の可変駆動源で前後方向に開閉するアタッカーまたは大入賞口と呼ばれる構造である。可変入賞部品７０の開閉体７５で閉じたり開かれたりする空洞形状の球受入部の内部には、図外の可変入賞球検出器を備える。可変入賞部品７０の球受入部に取り込まれた球は、可変入賞球検出器を通過した後に遊技盤４１の裏側に排出される。よって、可変入賞部品７０は、取込形である。
【００２０】
センター飾り６６は、光を透過する性質の有る合成樹脂により形成された上側に向けて突出する弧状であって、板状構造体４３の裏面から図外のタッピングスクリューのような止ねじで板状構造体４３の前面に取り付けられる。一般入賞部品６７、作動入賞部品６８、始動入賞部品６９、可変入賞部品７０は、光を遮断する性質の有る合成樹脂により形成された部品であって、板状構造体４３の裏面から図外のタッピングスクリューのような止ねじで板状構造体４３の前面に取り付けられる。遊技釘７１は、真鍮で形成された障害釘とも呼ばれる釘であって、板状構造体４３の前面から内部に打ち込まれる。
【００２１】
そして、板状構造体４３が周辺飾り構造体４２に取り付けられることによって、遊技領域６５、センター飾り６６、一般入賞部品６７、作動入賞部品６８、始動入賞部品６９、可変入賞部品７０、遊技釘７１、風車７２、アウト口７３が周辺飾り構造体４２の丸形開口部５５の内部に配置される。よって、人が、遊技盤４１を前側から見た場合、遊技領域６５における一般入賞部品６７、作動入賞部品６８、始動入賞部品６９、可変入賞部品７０、遊技釘７１で覆われた以外の部分の裏側を視認することができる。遊技盤４１の遊技領域６５から一般入賞部品６７、始動入賞部品６９、可変入賞部品７０、アウト口７３を経由して遊技盤４１の裏側に排出された球は、球案内体５３（図１参照）で遊技盤４１から下側に排出される。
【００２２】
最良の形態によれば、図１において、遊技盤４１が可動枠３に取り付けられ、可動枠３や前扉４および皿構造体５が開閉不能に閉じられ、球が受皿部３５に入れられ、遊技者が発射操作機構３６を操作し、発射機構２７から球が遊技領域５６に発射され、画像表示器１７が表示画面に画像を表示すると、遊技者は、画像表示器１７が表示画面に映し出された画像を遊技領域５６の全域に見ながら遊技領域５６に行き交う球の動きを、遊技機枠１の前側から窓３３とパネル３４および板状構造体４３を通してみることができるという利点がある。
【産業上の利用可能性】
【００２３】
斜面５０は設けなくともよい。
【図面の簡単な説明】
【００２４】
【図１】パチンコ遊技機の分解斜視図（最良の形態）。
【図２】遊技盤の分解斜視図（最良の形態）。
【符号の説明】
【００２５】
１    遊技機枠
３    可動枠
１４  盤収容構造体
２２  盤押圧部
２３  盤受止部
４１  遊技盤
４２  周辺飾り構造体
４３  板状構造体
４４  板状収容部
４５  上縁部
４６  下縁部
４７  左縁部
４８  右縁部
４９  押圧受止部
５０  斜面
【図１】
2007014530.tif 000003
【図２】
2007014530.tif 000004